(57)【要約】【課題】  同一の装置によって生成された第１のデータと第２のデータとを自動的に関連付けて管理する。【解決手段】  ＰＣは、動画データを生成する外部装置に固有な識別子情報を取得し、当該識別子情報に対応する識別子情報が静止画データに付加されている場合（ステップＳ４００３）、静止画データを動画データと関連付けて管理する（ステップＳ４００７）。【選択図】  図４
2008035239.tif 000002
【特許請求の範囲】
【請求項１】
第１のデータを生成する外部装置に固有な識別子情報を取得する取得手段と、
前記識別子情報に対応する識別子情報が第２のデータに付加されている場合、前記第２のデータを前記第１のデータと関連付けて管理する管理手段とを有することを特徴とするデータ管理装置。
【請求項２】
前記管理手段は、
前記取得手段により取得される前記識別子情報に対応するデータ格納領域を生成する生成手段と、
前記第１のデータを前記データ格納領域内に格納する格納手段とを含み、
前記格納手段は、前記識別子情報に対応する識別子情報が前記第２のデータに付加されている場合、前記第２のデータを前記第１のデータとともに前記データ格納領域内に格納することを特徴とする請求項１に記載のデータ管理装置。
【請求項３】
前記第２のデータは、前記外部装置によって生成されたデータであることを特徴とする請求項１又は２に記載のデータ管理装置。
【請求項４】
前記第２のデータに付加される識別子情報は、前記外部装置によって前記第２のデータに付加される情報であることを特徴とする請求項１乃至３の何れか１項に記載のデータ管理装置。
【請求項５】
前記第２のデータは、前記第１のデータである動画データの一部から生成される静止画データであることを特徴とする請求項１乃至４の何れか１項に記載のデータ管理装置。
【請求項６】
データ生成装置とデータ管理装置とを有するデータ管理システムであって、
前記データ生成装置は、
第１のデータと第２のデータとを生成する生成手段と、
前記第２のデータに対して識別子情報を付加する付加手段とを有し、
前記データ管理装置は、
前記データ生成装置に固有な識別子情報を取得する取得手段と、
前記取得手段により取得された識別子情報に対応する識別子情報が前記第２のデータに付加されている場合、前記第１のデータと前記第２のデータとを関連付けて管理する管理手段とを有することを特徴とするデータ管理システム。
【請求項７】
データ管理装置によるデータ管理方法であって、
第１のデータを生成する外部装置に固有な識別子情報を取得する取得ステップと、
前記識別子情報に対応する識別子情報が第２のデータに付加されている場合、前記第２のデータを前記第１のデータと関連付けて管理する管理ステップとを含むことを特徴とするデータ管理方法。
【請求項８】
請求項７に記載のデータ管理方法をコンピュータに実行させるためのプログラム。
【請求項９】
請求項８に記載のプログラムを記録したコンピュータ読み取り可能な記録媒体。
【発明の詳細な説明】
【技術分野】
【０００１】
本発明は、関連性のある複数のデータが別ルートで記録された場合でもそれらを自動的に関連付けて管理することが可能なデータ管理装置、データ管理システム及びデータ管理方法に関するものである。
【背景技術】
【０００２】
現在のビデオカメラは映像を内蔵のテープに記録するだけでなく、メモリカードを備え、高画質で高画素の静止画をメモリカード内に記録することが可能となっている。また、ビデオカメラで記録可能なビデオテープには時間の限界がある。従って、長時間撮影を目的とした用途には、ＩＥＥＥ１３９４に代表される高画質動画像転送を実現するデジタルインタフェースを用いて、外部に接続されたハードディスクのようなデジタル記録機器へファイルとして記録するシステムを提供するメーカも存在する。
【０００３】
外部機器に転送される動画像は、ビデオテープに記録されるデータと同じデータであり、外部デジタル記録機器に各システムの作成する一意のフォルダ等に分類されて記録されている。静止画は、メモリカード上に、管理指標として照合するための独自タグ情報を記載するシステムを利用することで、後のデータ管理において利用可能な独自タグ情報を自在に記録することができる（例えば、特許文献１参照）。上記独自タグ情報としてビデオカメラを世界中で一意に特定できる識別子を用いることも可能である。この識別子には、デジタルインタフェースを特定する識別子を用いることが可能である。例えばＩＥＥＥ１３９４のＧＵＩＤや、Ethernet（登録商標）等のＭＡＣアドレス等、提供するベンダーによって一意に特定されるベンダーＩＤと機器固有のＩＤを組み合わせたもの等が存在する。
【０００４】
また、上記ビデオカメラによって撮影される静止画は、持ち運び可能な携帯メモリカード等に記録されている。そのため、ビデオカメラ本体から取り外して別の機器に挿入することや、パーソナルコンピュータ（ＰＣ）等にメモリカードを読み取る機器を用いて複製や移動するということが可能である。
【０００５】
更に、長時間記録を実現するシステムにおいては、外部のデジタル記録機器としてパーソナルコンピュータ（ＰＣ）を利用することで、特別な筐体を準備することなくアプリケーションソフトウェアでの実現も可能である。
【０００６】
【特許文献１】特開２００４−１５３６７９号公報
【発明の開示】
【発明が解決しようとする課題】
【０００７】
従来の技術では、機器本体に記録した動画像と外部デジタル記録機器に記録した動画像の分類と照合については実現可能である。しかしながら、同時に記録された静止画像に関して、ビデオカメラからメモリカードを抜き出し外部デジタル記録機器に挿入する操作等により、記録した機器の動画像との関連付けを行うことが困難であった。特に、同じビデオカメラで撮影した動画像と静止画像を関連付けすることにより編集を行うアプリケーションソフトウェア等では、別々に記録した場合のデータとの区別がつかず、関連性を保証する仕組みが必要となっている。
【０００８】
そこで、本発明の目的は、同一の装置によって生成された第１のデータと第２のデータとを自動的に関連付けて管理することにある。
【課題を解決するための手段】
【０００９】
本発明のデータ管理装置は、第１のデータを生成する外部装置に固有な識別子情報を取得する取得手段と、前記識別子情報に対応する識別子情報が第２のデータに付加されている場合、前記第２のデータを前記第１のデータと関連付けて管理する管理手段とを有することを特徴とする。
本発明のデータ管理システムは、データ生成装置とデータ管理装置とを有するデータ管理システムであって、前記データ生成装置は、第１のデータと第２のデータとを生成する生成手段と、前記第２のデータに対して識別子情報を付加する付加手段とを有し、前記データ管理装置は、前記データ生成装置に固有な識別子情報を取得する取得手段と、前記取得手段により取得された識別子情報に対応する識別子情報が前記第２のデータに付加されている場合、前記第１のデータと前記第２のデータとを関連付けて管理する管理手段とを有することを特徴とする。
本発明のデータ管理方法は、データ管理装置によるデータ管理方法であって、第１のデータを生成する外部装置に固有な識別子情報を取得する取得ステップと、前記識別子情報に対応する識別子情報が第２のデータに付加されている場合、前記第２のデータを前記第１のデータと関連付けて管理する管理ステップとを含むことを特徴とする。
本発明のプログラムは、前記データ管理方法をコンピュータに実行させることを特徴とする。
本発明のコンピュータ読み取り可能な記録媒体は、前記プログラムを記録したことを特徴とする。
【発明の効果】
【００１０】
本発明によれば、外部装置に固有な識別子情報に基づいて第１のデータと第２のデータとを関連付けて管理することが可能である。従って、第１のデータと第２のデータとが同一の外部装置によって生成されたものであれば、識別子情報に基づいて自動的にそれらを関連付けて管理することができる。
【発明を実施するための最良の形態】
【００１１】
以下、本発明を適用した好適な実施形態を、添付図面を参照しながら詳細に説明する。
【００１２】
図１は、本発明の実施形態に係る動静止画記録システムの構成を示す図である。１００１は、デジタルビデオカメラ（以下、ＤＶＣＲと称す）である。１００２は、パーソナルコンピュータ（以下、ＰＣと称す）である。１００３は、ＤＶＣＲ１００１とＰＣ１００２を接続するデジタルインタフェースであるＩＥＥＥ１３９４ケーブルである。１００４は、ＤＶＣＲ１００１内に挿入され、ＤＶＣＲ１００１によって映像を記録することの可能なビデオテープである。１００５は、ＤＶＣＲ１００１内に挿入され、ＤＶＣＲ１００１によって静止画を記録することの可能なメモリカードである。
【００１３】
ＤＶＣＲ１００１とＰＣ１００２は、ＩＥＥＥ１３９４ケーブル１００３で接続されており、動画や静止画、各種コマンドを自由に送受信することが可能なネットワークを構成している。
【００１４】
ビデオテープ１００４とメモリカード１００５は、ＤＶＣＲ１００１に挿入されて動画及び静止画を記録することが可能であり、ＤＶＣＲ１００１を扱うユーザによって自由に挿抜ができる。他のＤＶＣＲ１００１に挿入することや、ビデオテープ１００４であれば据え置きのビデオ再生デッキ等で再生したり、メモリカード１００５であればＰＣ１００２等で記録された静止画像を再生したり複製したりすることが可能である。
【００１５】
本実施形態の動静止画記録システムにおいては、ＤＶＣＲ１００１に挿入されたビデオテープ１００４やメモリカード１００５に動画及び静止画を記録することができる。それ以外に、ＩＥＥＥ１３９４ケーブル１００３を通して接続されたネットワーク上の外部機器であるＰＣ１００２にも同時に動画及び静止画を記録することが可能である。
【００１６】
ＤＶＣＲ１００１から内部の記録媒体と共にデジタルインタフェースで接続された外部機器にも記録する場合のシーケンスを、図２を用いて説明する。
【００１７】
まず、ＤＶＣＲ１００１内にビデオテープ１００４及びメモリカード１００５が挿入されていることを確認する。同時にデジタルインタフェースであるＩＥＥＥ１３９４ケーブル１００３がＤＶＣＲ１００１とＰＣ１００２を直接接続していることも確認する。
【００１８】
ＤＶＣＲ１００１の電源を入れて映像を記録することが可能なモードにして、外部接続のＰＣ１００２内の記録補助システムを起動しておく。ＰＣ１００２内の記録補助システムは、ＤＶＣＲ１００１から送られるコマンドによってＩＥＥＥ１３９４ケーブル１００３を通して送られる映像を記録することを補助するシステムである。
【００１９】
ＤＶＣＲ１００１のＲＥＣボタンを押すことで記録開始のトリガーとなる（ステップＳ２００１）。ＲＥＣボタン押下を検知したＤＶＣＲ１００１は、すぐにＰＣ１００２に対して記録開始を通知するためのＲＥＣコマンドを送信する（ステップＳ２００２）。本実施形態においてはＩＥＥＥ１３９４によって構成されたネットワークであるため、ＲＥＣコマンドもＩＥＥＥ１３９４のプロトコルで定義されたコマンドを用いて送信する。なお、本実施形態ではＩＥＥＥ１３９４を用いて説明を行っているが、同様の記録開始、記録停止、映像を送受信可能なデジタルインタフェースであれば、本発明の目的は達成される。
【００２０】
ＤＶＣＲ１００１は、ＰＣ１００２へＲＥＣコマンドを送信するのと同時に、ＤＶＣＲ１００１内部にある記録部を駆動させ（ステップＳ２００３）、ＣＣＤ等から入力されてくる映像と音声をテープへ記録する（ステップＳ２００４）。
【００２１】
テープへの記録が開始されると、ＤＶＣＲ１００１は静止画の撮影が常に可能な状態で待ち受けている（ステップＳ２００５〜ステップＳ２００８）。
【００２２】
ユーザが動画を記録しながら静止画撮影ボタンを押して静止画を記録しようと試みたときの説明を行う。静止画撮影ボタンが押されると（ステップＳ２００５）、現在ＣＣＤ等から入力されている動画を静止画として切り出してくる（ステップＳ２００６）。
【００２３】
ＤＶＣＲ１００１はデジタルインタフェースのＩＥＥＥ１３９４等に存在する機器固有で一意に機器を特定することの可能なＧＵＩＤを静止画へ書き込む（ステップＳ２００７）。静止画にはＥＸＩＦ等の自由にメタデータを書き込む領域が存在するため、この領域にＧＵＩＤを書き込むことで撮影した機器を一意に特定することの可能なメタデータを入力することが可能になる。
【００２４】
ＤＶＣＲ１００１は、ＧＵＩＤを書き込んだ静止画像をメモリカードに記録し（ステップＳ２００８）、通常の記録状態に戻る。静止画撮影ボタンが押されていない場合は、動画の記録を行っている通常の記録と同じである。
【００２５】
ＤＶＣＲ１００１では、トグルボタンであるＲＥＣボタンを再度押されると（ステップＳ２００９）、記録停止であることを検知する。次に、ＤＶＣＲ１００１は、ＰＣ１００２へ停止コマンドを送信して記録を停止すると同時に、本体内部の記録媒体に記録している記録部を停止させ、映像の記録を完全に停止する（ステップＳ２０１０）。このようにして、全ての装置を記録が可能な状態に移行させる。
【００２６】
このときのＰＣ１００２上の記録補助システムの動作を、図３を用いて説明する。記録補助システムはＩＥＥＥ１３９４ケーブル１００３が接続されたときに物理層で接続を確認する（ステップＳ３００１）。その後、記録補助システムは、機器を認識するためのＩＥＥＥ１３９４プロトコル上のネゴシエーションを行い（ステップＳ３００２）、相互の機器を認識して映像と音声を送信するための帯域を確保したり、相手の機器に合わせた設定を行う。ここで記録補助システムは機器固有のＧＵＩＤを読み取ることにより、過去に接続したことがあるかどうかが判断できる（ステップＳ３００３）。この判断は、過去に接続したことのある機器を登録したＧＵＩＤリストと、読み取られたＧＵＩＤとを照合することによって行われる。
【００２７】
記録補助システムは、もし過去に接続したことのある機器であれば、ＰＣ１００２内に記録した機器の持つＧＵＩＤと同じＧＵＩＤフォルダが存在するかどうかを検索する（ステップＳ３００４）。記録補助システムは、もしＧＵＩＤフォルダが存在した場合には記録場所としてこのＧＵＩＤフォルダを指定する（ステップＳ３００５）。記録補助システムは、もし過去に一度も接続したことのない機器であるか、又はＧＵＩＤフォルダが存在していなければ、新たにＧＵＩＤフォルダを作成し（ステップＳ３００６）、新規作成のＧＵＩＤフォルダを記録場所として指定する。
【００２８】
その後、ＤＶＣＲ１００１からの指示によりＲＥＣコマンドが送信されてくると、ＰＣ１００２は、ＩＥＥＥ１３９４ケーブル１００３を介してコマンドを受信し（ステップＳ３００７）、記録補助システムは現在の内部状態を確認する。もし記録中であれば（ステップＳ３００８）、記録補助システムはユーザが新たな記録を開始したことと判断し現在のファイルを閉じ（ステップＳ３００９）、新規にファイルを作成する（ステップＳ３０１０）。もし記録中でない場合には、通常の待ち受け状態であるため、記録補助システムは新規にファイルを作成し（ステップＳ３０１０）、指定されたＧＵＩＤフォルダに新たな動画をファイルとして記録を開始する（ステップＳ３０１１）。記録補助システムは常にＤＶＣＲ１００１からのコマンドを待ち受ける状態におり、ＤＶＣＲ１００１によって指示されたコマンドをすぐに実行できる状態にある。
【００２９】
ＤＶＣＲ１００１とＰＣ１００２において同時に記録した動画と静止画は、それぞれ別の記録媒体に記録されている。動画はＤＶＣＲ１００１内のビデオテープ１００４とＰＣ１００２内に同じものが記録され、静止画はＤＶＣＲ１００１内のメモリカード１００５に記録されている。メモリカード１００５内に記録された静止画は、ＩＥＥＥ１３９４ケーブル１００３を通してＰＣ１００２へコピーすることが可能である。それ以外に、メモリカード１００５そのものをＤＶＣＲ１００１から抜き取り、ＰＣ１００２へメモリカードリーダなどを用いて静止画をコピーすることも可能である。
【００３０】
ここで、ＰＣ１００２に対してメモリカードリーダを用いて、ＤＶＣＲ１００１で記録された静止画像をコピーする場合の、ＰＣ１００２上の記録補助システムの動作シーケンスを、図４を用いて説明する。
【００３１】
ＰＣ１００２に接続されたメモリカードリーダにメモリカード１００５が挿入されると、記録補助システムはメモリカード１００５内の静止画ファイルを自動的に読み取ってファイルを確認することが可能である（ステップＳ４００１）。メモリカード１００５内の静止画内部の情報を読み取ることで、静止画内に記録した機器を一意に指定するＧＵＩＤが存在するかどうかが確認できる（ステップＳ４００２）。記録補助システムは、静止画内に上記ＧＵＩＤが存在する場合、同じＧＵＩＤを持つ動画記録フォルダが存在するかを確認する（ステップＳ４００３）。
【００３２】
ＧＵＩＤフォルダが存在していれば、記録補助システムは、そのＧＵＩＤフォルダをコピー場所として指定する。もしＧＵＩＤフォルダが存在しなければ、静止画内に記録されているＧＵＩＤと同じ名前のＧＵＩＤフォルダを作成し（ステップＳ４００５）、コピー場所として指定する。ＧＵＩＤフォルダを指定した後、ＧＵＩＤフォルダ内に静止画像をコピーする静止画フォルダを作成する（ステップＳ４００６）。静止画フォルダはＧＵＩＤ毎に生成される静止画像が保存されていると分かるフォルダ名であり、例えばＤＣＦ準拠のデジタルカメラ等に使用されるフォルダ構成であれば、どのような構成であっても本発明の目的は達成される。
【００３３】
静止画内にＧＵＩＤが存在しない場合は、記録補助システムはユーザが指定したフォルダを静止画コピー場所として使用する（ステップＳ４００４）。記録補助システムは各静止画コピー場所を決定すると静止画を指定された場所へコピーする（ステップＳ４００７）。静止画内にＧＵＩＤを持つ静止画の場合は、ＰＣ１００２にメモリカード１００５を挿入した時点で、自動的に動画の記録されたＧＵＩＤフォルダへ静止画像がコピーされることとなる。従って、ユーザが自身で記録した機器や日付などの情報を基にコピーするフォルダを選択する必要がなくなる。
【００３４】
以上のように、本実施形態においては、ＤＶＣＲ１００１で生成された動画データと静止画データとをＰＣ１００１に格納する際に、ＤＶＣＲ１００１に固有の識別子を用いてそれらのデータを同一フォルダ内に格納している。従って、同一ＤＶＣＲ１００１で生成された動画データと静止画データとを自動的に関連付けて管理することが可能である。
【００３５】
本実施形態では、ＧＵＩＤとしてデジタルインタフェースに固有の識別子を用いて説明を行なった。これに限られず、機器内部に特別に指定された固有の識別子が存在し、外部機器及び静止画像に記録できる長さと表記であれば、この識別子を用いて実施しても本発明の目的は達成される。また、本実施形態では、デジタルインタフェースとしてＩＥＥＥ１３９４を用いて説明を行った。これに限られず、ＵＳＢのベンダＩＤとデバイスＩＤの組み合わせやEthernet（登録商標）のネットワークインタフェースに固有のＭＡＣアドレス等、機器固有の識別子をインタフェースから読み取ることが可能であるインタフェースを用いてもよい。
【００３６】
また、本実施形態では、ＤＶＣＲ１００１によって生成される静止画像について説明を行った。これに限られず、生成されるデータがファイル形式であり、記録機器を一意に識別可能な識別子を記録できるものであれば、本発明の目的である動画像とファイルとを関連付けることは達成できる。例えば、記録された動画像と関連する編集キーやプレイリスト等のファイルが挙げられる。
【００３７】
また、本発明の目的は、前述した実施形態の機能を実現するソフトウェアのプログラムコードを記録した記憶媒体をシステム或いは装置に供給し、そのシステム等のコンピュータが記憶媒体からプログラムコードを読み出し実行することによっても達成される。
【００３８】
この場合、記憶媒体から読み出されたプログラムコード自体が前述した実施形態の機能を実現することになり、プログラムコード自体及びそのプログラムコードを記憶した記憶媒体は本発明を構成することになる。
【００３９】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００４０】
また、コンピュータが読み出したプログラムコードの指示に基づき、コンピュータ上で稼動しているＯＳ等が実際の処理の一部又は全部を行い、その処理によって前述した実施形態の機能が実現される場合も含まれる。
【００４１】
さらに、記憶媒体から読み出されたプログラムコードが、コンピュータに接続された機能拡張ユニット等に備わるメモリに書込まれた後、そのプログラムコードの指示に基づきＣＰＵ等が実際の処理を行い、前述した実施形態の機能が実現される場合も含まれる。
【図面の簡単な説明】
【００４２】
【図１】本発明の実施形態に係る動静止画記録システムの構成を示す図である。
【図２】ＤＶＣＲから内部の記録媒体と共にデジタルインタフェースで接続された外部機器にも記録する場合の流れを示すフローチャートである。
【図３】ＰＣ内の記録補助システムの動作を示すフローチャートである。
【図４】ＰＣに対してメモリカードリーダを用いて、ＤＶＣＲで記録された静止画像をコピーする場合のＰＣ上の記録補助システムの動作を示すフローチャートである。
【符号の説明】
【００４３】
１００１  デジタルビデオカメラ（ＤＶＣＲ）
１００２  パーソナルコンピュータ（ＰＣ）
１００３  ＩＥＥＥ１３９４ケーブル
１００４  ビデオテープ
１００５  メモリカード
【図１】
2008035239.tif 000003
【図２】
2008035239.tif 000004
【図３】
2008035239.tif 000005
【図４】
2008035239.tif 000006